(57)【要約】【課題】前後方向に伸縮可能な宅配ボックスにおいて、リンク機構を構成する部品数を削減するとともに、前側ボックス部の引き出し操作を円滑に行うことができるようにする。【解決手段】宅配ボックス１０は、後面が閉じ前面が開口する後側ボックス部１２と、後面および前面が開口し、後側ボックス部１２の前面開口から内側に嵌り込んだ状態で前後方向にスライド可能な前側ボックス部１４と、前側ボックス部１４の前面開口を開閉する鍵付き扉１６と、後側ボックス部１２と前側ボックス部１４とを連結する伸縮可能なリンク機構とを備える。リンク機構は、後側ボックス部１２と前側ボックス部１４の左右方向の一方のみの側部同士を連結する第１リンク機構２２と、後側ボックス部１２と前側ボックス部１４の上端部同士または下端部同士を連結する第２リンク機構２４とから構成される。【選択図】図４
2020120952.tif 000002
【特許請求の範囲】
【請求項１】
後面が閉じ前面が開口する後側ボックス部と、
後面および前面が開口し、前記後側ボックス部の前面開口から内側に嵌り込んだ状態で前後方向にスライド可能な前側ボックス部と、
前記前側ボックス部の前面開口を開閉する鍵付き扉と、
前記後側ボックス部と前記前側ボックス部とを連結する伸縮可能なリンク機構と、を備え、
前記リンク機構は、前記後側ボックス部と前記前側ボックス部の左右方向の一方のみの側部同士を連結する第１リンク機構と、前記後側ボックス部と前記前側ボックス部の上端部同士または下端部同士を連結する第２リンク機構とから構成される、宅配ボックス。
【請求項２】
前記後側ボックス部には後側底板部がその後端部を中心に回動可能に設けられており、前記前側ボックス部が前記後側ボックス部から引き出された状態で水平方向に沿った向きに回動されたとき、前記後側底板部の前端が前記前側ボックス部の底部の後端に近接または当接して配置される、請求項１に記載の宅配ボックス。
【請求項３】
前記前側ボックス部の後端の外周縁部にはストッパー部が外側に突出して形成され、前記ストッパー部は、前記前側ボックス部が前記後側ボックス部から引き出されたとき前記後側ボックス部の前端内周部に係合する、請求項１または２に記載の宅配ボックス。
【請求項４】
前記後側ボックス部の底部にはローラが回転可能に設けられており、前記ローラは前記後側ボックス部に対してスライド移動する前記前側ボックス部の下面に当接して支持する、請求項１〜３のいずれか一項に記載の宅配ボックス。
【発明の詳細な説明】
【技術分野】
【０００１】
本開示は、宅配ボックスに関する。
【背景技術】
【０００２】
特許文献１には、内部に荷物を収納するときは進展して荷物収容室を形成し、荷物を収納しないときは収縮させて扁平にして場所を取らないように構成した荷受け用ロッカーが記載されている。この荷受け用ロッカーは、背面盤と、これに対向して位置する開閉自在な鍵付扉を有する前枠体との間に折りたたみ自在な底板を架設するとともにリンク機構によって連結し、前枠体と背面盤の間にわたって両者が接近する方向に折りたたみ自在な荷物室形成体を連結して伸縮自在とした構成を備えている。
【先行技術文献】
【特許文献】
【０００３】
【特許文献１】特開平６−３２９１９０号公報
【発明の概要】
【発明が解決しようとする課題】
【０００４】
特許文献１に記載の荷受け用ロッカーでは、ロッカーの左右方向の両側にリンク機構を設けて背面盤と前枠体とを連結している。この構成では、背面盤から前枠体を離間させて荷受け用ロッカーを伸長させるとき、左右両側のリンク機構が完全に同期した動きにならないと前枠体を引き出す際に引っ掛かったような感触となり、荷受け用ロッカーの伸長動作を円滑に行えないことがある。また、ロッカーの左右方向の両側にリンク機構を設けると、リンク機構を構成する部品数が多くなる。
【０００５】
本開示の目的は、前後方向に伸縮可能な宅配ボックスにおいて、リンク機構を構成する部品数を削減するとともに、前側ボックス部の引き出し操作を円滑に行うことができるようにすることである。
【課題を解決するための手段】
【０００６】
本開示に係る宅配ボックスは、後面が閉じ前面が開口する後側ボックス部と、後面および前面が開口し、後側ボックス部の前面開口から内側に嵌り込んだ状態で前後方向にスライド可能な前側ボックス部と、前側ボックス部の前面開口を開閉する鍵付き扉と、後側ボックス部と前側ボックス部とを連結する伸縮可能なリンク機構と、を備える。リンク機構は、後側ボックス部と前側ボックス部の左右方向の一方のみの側部同士を連結する第１リンク機構と、後側ボックス部と前側ボックス部の上端部同士または下端部同士を連結する第２リンク機構とから構成される。
【発明の効果】
【０００７】
本開示に係る宅配ボックスによれば、前後方向に伸縮可能な宅配ボックスにおいて、リンク機構を構成する部品数を削減できるとともに、前側ボックス部の引き出し操作を円滑に行うことができる。
【図面の簡単な説明】
【０００８】
【図１】荷物未収納時の宅配ボックスを示す斜視図である。
【図２】図１に示した宅配ボックスの前後方向に沿った断面図である。
【図３】宅配ボックスを伸長した状態の前後方向に沿った断面図である。
【図４】図３において後側底部を省略した断面図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、荷物未収納時の宅配ボックス１０を示す斜視図である。図２は、図１に示した宅配ボックス１０の前後方向に沿った断面図である。図１及び図２（図３及び図４でも同様）において、宅配ボックス１０の扉側を「前」、その反対側を「後」といい、扉側から見て横方向を左右方向といい、通常の設置状態で縦方向を上下方向という。前後方向、左右方向、及び、上下方向は互いに直交する。
【００１１】
宅配ボックス１０は、後側ボックス部１２と、前側ボックス部１４と、鍵付きの扉１６とを備える。後側ボックス部１２は、後面が閉じ前面が開口する筐体状をなしている。後側ボックス部１２は、天面部１２ａ、右側面部１２ｂ、左側面部１２ｃ及び後面部１２ｄを一体に有している。また、後側ボックス部１２は、底部１２ｅを有する。底部１２ｅは、例えばネジ留め等によって右側面部１２ｂ及び左側面部１２ｃの各下端部に連結されている。
【００１２】
後側ボックス部１２において、天面部１２ａ、右側面部１２ｂ、左側面部１２ｃ及び後面部１２ｄは、例えば、樹脂成形品によって一体に形成される。底部１２ｅもまた、例えば、樹脂成形品によって構成できる。ただし、後側ボックス部１２の少なくとも一部が金属板によって形成されてもよい。
【００１３】
前側ボックス部１４は、後面および前面が開口しており、外形が直方体状をなす枠体によって構成されている。前側ボックス部１４は、天面部１４ａ、右側面部１４ｂ、左側面部１４ｃ、及び、底部１４ｅを一体に有している。天面部１４ａ、右側面部１４ｂおよび左側面部１４ｃは、例えば、樹脂成形品によって一体に形成される。底部１４ｅは、例えばネジ留め等によって右側面部１４ｂ及び左側面部１４ｃの各下端部に連結されている。底部１４ｅもまた、例えば、樹脂成形品によって構成できる。ただし、前側ボックス部１４の少なくとも一部が金属板によって形成されてもよい。
【００１４】
前側ボックス部１４は、後側ボックス部１２の前面開口から内側に嵌り込んだ状態で前後方向にスライド可能に設けられている。より詳しくは、前方から見て後側ボックス部の前面は長方形状に開口しており、前側ボックス部１４は後側ボックス部１２の前面開口にほぼ対応する大きさの長方形状の外形を有している。これにより、前側ボックス部１４は、後側ボックス部１２の内側に挿入された状態で前後方向にスライド移動することができる。
【００１５】
前側ボックス部１４がスライド移動するとき、前側ボックス部１４は後側ボックス部１２の前端内周面によってガイドされ、これにより前側ボックス部１４の引き出し操作を円滑に行うことができる。また、図２に示すように、後側ボックス部１２の底部１２ｅにはローラ１３が回転可能に設けられており、このローラ１３がスライド移動する前側ボックス部１４の下端面に当接して支持することで、前側ボックス部１４の引き出し操作をより円滑に行うことができるようになっている。
【００１６】
図２に示すように、前側ボックス部１４の天面部１４ａの後端には、ストッパー部１５が外側または上方に突出して形成されている。図示していないが、ストッパー部１５は、右側面部１４ｂおよび左側面部１４ｃの各後端にも左右方向の外側に突出してそれぞれ形成されているのが好ましい。ストッパー部１５は、前側ボックス部１４が後側ボックス部１２から引き出されたとき後側ボックス部１２の前端内周部の折り返し部１７に係合する。これにより、前側ボックス部１４を引き出し過ぎて後側ボックス部１２から外れてしまうのを防止している。
【００１７】
扉１６は、前側ボックス部１４の前面に取り付けられて前面開口を開閉する部材である。扉１６は、例えば、樹脂成型品または板金加工品によって構成される。扉１６は、図示しないヒンジを介して前側ボックス部１４の右側面部１４ｂの前面に取り付けられている。これにより、扉１６は、右側端縁部を中心に右開き式で開閉可能になっている。
【００１８】
扉１６には、操作レバー１８および鍵部２０が設けられている。操作レバー１８は、扉１６を開くときに操作する部材である。鍵部２０は、例えば、シリンダ錠によって構成される。鍵部２０は、鍵を挿入して回動させることによって、ロック状態にある扉１６を解錠するための部材である。
【００１９】
なお、鍵部２０は、シリンダ錠に限定されるものではなく、例えば、ダイヤル式の鍵部であってもよいし、テンキー操作部や近距離無線通信により入力される識別コードを認証して解錠する電気錠であってもよい。
【００２０】
図２に示すように、宅配ボックス１０は、後側ボックス部１２と前側ボックス部１４とを連結する伸縮可能なリンク機構を備える。より詳しくは、リンク機構は、後側ボックス部１２と前側ボックス部１４の左右方向の一方のみの側部同士を連結する第１リンク機構２２と、後側ボックス部１２と前側ボックス部１４の上端部同士または下端部同士を連結する第２リンク機構２４とから構成される。
【００２１】
本実施形態では、第１リンク機構２２は、後側ボックス部１２と前側ボックス部１４の右側の側部同士を連結する例が示されている。第１リンク機構２２は、後側ボックス部１２と前側ボックス部１４の左側の側部同士を連結するように設けられてもよい。
【００２２】
第１リンク機構２２は、２本のリンク２２ａ，２２ｂが各中央部で回動可能に連結されたパンタグラフ型の伸縮機構である。リンク２２ａの下端部は前側ボックス部１４の右側面部１４ｂの後端に固定されたブラケット部２６ａに回動可能に連結されている。リンク２２ｂの下端部は、後側ボックス部１２の後面部１２ｄの右側側部に固定されたブラケット部２６ｂに回動可能に連結されている。
【００２３】
リンク２２ａの上端部は、前側ボックス部１４の右側面部１４ｂの後端に固定されたブラケット部２８ａの長孔に回動可能で且つ上下方向に移動可能に連結されている。リンク２２ｂの上端部は、後側ボックス部１２の後面部１２ｄの右側側部に固定されたブラケット部２８ｂの長孔に回動可能で且つ上下方向に移動可能に連結されている。
【００２４】
図３は、宅配ボックス１０を伸長した状態の前後方向に沿った断面図である。図４は、図３において後側底部を省略した断面図である。
【００２５】
本実施形態では、第２リンク機構２４は、図２および図４に示すように、後側ボックス部１２と前側ボックス部１４の下端部同士を連結する例が示されている。第２リンク機構２４は、後側ボックス部１２と前側ボックス部１４の上端部同士を連結するように設けられてもよい。
【００２６】
第２リンク機構２４は、２本のリンク２４ａ，２４ｂが各中央部で回動可能に連結されたパンタグラフ型の伸縮機構である。リンク２４ａの一端部は前側ボックス部１４の下端部である底部１４ｅの後端面に固定されたブラケット部３０ａに回動可能に連結されている。リンク２４ｂの一端部は、後側ボックス部１２の下端部である後面部１２ｄの下部内面に固定されたブラケット部３０ｂに回動可能に連結されている。
【００２７】
リンク２４ｂの他端部は、前側ボックス部１４の下端部である底部１４ｅの後端面に固定されたブラケット部３２ａの長孔に回動可能で且つ上下方向に移動可能に連結されている。リンク２４ａの他端部は、後側ボックス部１２の下端部である後面部１２ｄの下部内面に固定されたブラケット部３２ｂの長孔に回動可能で且つ上下方向に移動可能に連結されている。
【００２８】
図２および図３に示すように、後側ボックス部１２には後側底板部４０が設けられている。後側底板部４０は、その下端部が軸部材４２によって回動可能に支持されている。これにより、後側底板部４０は、図２に示すように、後側ボックス部１２の後面部１２ｄの内面に沿って起立した格納位置と、図３に示すように水平方向に沿って配置された使用位置とに回動することができる。使用位置にあるとき後側底板部４０は、前側ボックス部１４の底部１４ｅの上面と同じ高さ位置または面一となって、宅配ボックス１０内の荷物収納室の底面を構成する。
【００２９】
後側底板部４０は、前側ボックス部１４が後側ボックス部１２から引き出された状態で水平方向に沿った向きに回動されて使用位置となったとき、後側底板部４０の前端が前側ボックス部１４の底部１４ｅの後端に近接または当接して配置される。これにより、前側ボックス部１４の後方への移動が後側底板部４０によって規制され、後側底板部４０がストッパとして機能する。
【００３０】
図３に示すように、後側底板部４０の前側縁部には、摘み部４４が形成されている。本実施形態では摘み部４４は、台形状をなして前方に突出している。摘み部４４の形状は、例えば、三角状、矩形状、半円状等の形状であってもよい。摘み部４４は、後側底板部４０が使用位置にあるとき、前側ボックス部１４の底部１４ｅの上面に形成された切欠部１９に隙間をあけた状態で嵌り込むように構成されている。これにより、宅配ボックス１０から荷物を取り出した荷受人は、摘み部４４に指を掛けて後側底板部４０の前端部を容易に持ち上げることができる。そして、荷受人は、後側底板部４０の図２に示す格納位置に回動させた後、前側ボックス部１４を押し込むことで、宅配ボックス１０を収縮状態とすることができる。このように、荷物未収納時には宅配ボックス１０の前後方向の寸法を小さくすることができる。したがって、宅配ボックス１０が比較的狭い通路に面して設置されている場合に、通路を通る人の邪魔にならないようにできる。
【００３１】
上記のように構成される宅配ボックス１０の使用について以下に説明する。
【００３２】
荷物の配達する配送業者は、アンロック状態にある扉１６を開いた状態で、前側ボックス部１４を後側ボックス部１２から前方に引き出して、後側底板部４０を格納位置から使用位置に回動させる。これにより、宅配ボックス１０は図３に示すように伸長した状態となる。この状態で、配送業者は、荷物（図示せず）を宅配ボックス１０の内部に収納して、扉１６の内側に設けられるロックレバー（図示せず）を押し下げた状態として扉１６を閉じる。これにより、扉１６がロック状態となる。荷物を受け取る荷受人は、扉１６に設けられた鍵部２０に鍵を挿入して回動させて扉１６のロックを解錠する。これにより、扉１６を開いて内部から荷物を取り出すことができる。その後、荷受人は、後側底板部４０を使用位置から格納位置に回動させた後、前側ボックス部１４を後側ボックス部１２に押し込むことによって、宅配ボックス１０を図１及び図２に示すような収縮状態とすることができる。
【００３３】
上述したように、本実施形態の宅配ボックス１０は、後面が閉じ前面が開口する後側ボックス部１２と、後面および前面が開口し、後側ボックス部１２の前面開口から内側に嵌り込んだ状態で前後方向にスライド可能な前側ボックス部１４と、前側ボックス部１４の前面開口を開閉する鍵付き扉１６と、後側ボックス部１２と前側ボックス部１４とを連結する伸縮可能なリンク機構とを備える。リンク機構は、後側ボックス部１２と前側ボックス部１４の左右方向の一方のみの側部同士を連結する第１リンク機構２２と、後側ボックス部１２と前側ボックス部１４の上端部同士または下端部同士を連結する第２リンク機構２４とから構成される。
【００３４】
この構成によれば、第１リンク機構２２が後側ボックス部１２と前側ボックス部１４の左右方向の一方のみの側部同士を連結する構成としたことで、リンク機構を宅配ボックス１０の左右方向両側の側部に設ける場合に比べて、リンク機構を構成する部品数を削減することができる。また、左右方向両側の側部にリンク機構を設けた場合のように両方のリンク機構が完全に同期しないと引っ掛かるような不安定が動作になるのに比べて、前側ボックス部１４の引き出し操作を円滑に行うことができる。また、本実施形態の宅配ボックス１０では、前側ボックス部１４のスライド移動が後側ボックスの前端内周部によってガイドされるため、前側ボックス部１４の引き出し操作をより円滑に行うことができる。
【００３５】
また、本実施形態の宅配ボックス１０において、後側ボックス部１２には後側底板部４０がその後端部を中心に回動可能に設けられており、前側ボックス部１４が後側ボックス部１２から引き出された状態で水平方向に沿った向きに回動されたとき、後側底板部４０の前端が前側ボックス部１４の底部１４ｅの後端に近接または当接して配置される。この構成によれば、伸長状態となった宅配ボックス１０において、後側底板部４０によって、前側ボックス部１４の後方への移動を規制することができる。
【００３６】
また、本実施形態の宅配ボックス１０において、前側ボックス部１４の後端の外周縁部にはストッパー部１５が外側に突出して形成され、ストッパー部１５は、前側ボックス部１４が後側ボックス部１２から引き出されたとき後側ボックス部１２の前端内周部に係合する。この構成によれば、前側ボックス部１４が後側ボックス部１２から外れてしまうのを防止できる。
【００３７】
さらに、本実施形態の宅配ボックス１０において、後側ボックス部１２の底部にはローラ１３が回転可能に設けられており、ローラ１３は後側ボックス部１２に対してスライド移動する前側ボックス部１４の下面に当接して支持する。この構成によれば、前側ボックス部１４の引き出し操作をより円滑に行うことができる。
【００３８】
なお、本開示に係る宅配ボックスは、上述した実施形態および変形例に限定されるものではなく、本願の特許請求の範囲に記載された事項の範囲内において種々の変更や改良が可能であることはもちろんである。
【符号の説明】
【００３９】
１０  宅配ボックス、１２  後側ボックス部、１２ａ，１４ａ  天面部、１２ｂ，１４ｂ  右側面部、１２ｃ，１４ｃ  左側面部、１２ｄ  後面部、１２ｅ，１４ｅ  底部、１３  ローラ、１４  前側ボックス部、１５  ストッパー部、１６  扉、１７  折り返し部、１８  操作レバー、１９  切欠部、２０  鍵部、２２  第１リンク機構、２２ａ，２２ｂ，２４ａ，２４ｂ  リンク、２４  第２リンク機構、２６ａ，２６ｂ，２８ａ，２８ｂ，３０ａ，３０ｂ，３２ａ，３２ｂ  ブラケット部、４０  後側底板部、４２  軸部材、４４  摘み部。
【図１】
2020120952.tif 000003
【図２】
2020120952.tif 000004
【図３】
2020120952.tif 000005
【図４】
2020120952.tif 000006